(57)【要約】【課題】容量不足などの理由によりディスクに最後まで書き込みができなかったＡＶデータの途中から記録を開始することを可能とする。【解決手段】ＭＰＥＧなどのＡＶデータファイルの読み込み開始位置の情報を有する位置情報ファイルを読み込む位置情報ファイル読み込み手段と、ＡＶデータファイルの読み込み開始位置を設定する開始位置設定手段と、読み込んだＡＶデータを所定のフォーマットに変換するストリーム変換手段と、変換後のデータを所定のディスクに記録するディスク記録手段と、ディスクに最後まで記録できなかった場合に、ＡＶデータのどの位置まで変換記録したかを示す位置情報を算出する中断位置算出手段と、算出した位置情報を前記位置情報ファイルに書き込む位置情報ファイル書き込み手段と、ディスク記録手段において、ディスクに最後まで記録した場合に、位置情報ファイルの位置情報を初期化する位置情報ファイル初期化手段とを備える。【選択図】図１
2005141830.tif 000002
【特許請求の範囲】
【請求項１】
ＡＶデータファイルの読み込み開始位置の情報を有する位置情報ファイルを読み込んで、ＡＶデータファイルの読み込み開始位置を取得する位置情報ファイル読み込み手段と、ＡＶデータファイルの読み込み開始位置を設定する開始位置設定手段と、読み込んだＡＶデータを所定のフォーマットに変換するストリーム変換手段と、変換後のデータを所定のディスクに記録するディスク記録手段と、前記ディスク記録手段において、ディスクに最後まで記録できなかった場合に、ＡＶデータのどの位置まで変換記録したかを示す位置情報を算出する中断位置算出手段と、算出した位置情報を位置情報ファイルに書き込む位置情報ファイル書き込み手段と、前記ディスク記録手段において、ディスクに最後まで記録した場合に、位置情報ファイルの位置情報を初期化する位置情報ファイル初期化手段とを備えるを特徴とするＡＶデータ記録装置。
【請求項２】
前記位置情報ファイル書き込み手段において位置情報ファイルの書き込みが行われた場合、自動的に別のディスクに交換するディスク交換手段を備え、ディスクの交換後に更新された位置情報ファイルに基づいて最初の処理から開始を行うことを特徴とする請求項１に記載のＡＶデータ記録装置。
【請求項３】
前記位置情報ファイル書き込み手段において位置情報ファイルの書き込みが行われた場合、書き込んだディスクの不要部分の削除を行うディスクデータ部分削除手段と、ディスクの部分削除によってディスクの空き容量が確保された場合に、更新された位置情報ファイルに基づいて最初の処理から開始を行うことを特徴とする請求項１又は２に記載のＡＶデータ記録装置。
【請求項４】
前記位置情報ファイル読み込み手段において有効な位置情報が存在した場合、ユーザに位置情報の存在を通知し、その位置から取り込みを開始するかどうかを問い合わせる位置情報存在通知手段と、前記位置情報存在通知手段により、ユーザの選択に応じて取り込み開始位置を更新することを特徴とする請求項１から３に記載のＡＶデータ記録装置。
【請求項５】
前記位置情報ファイル読み込み手段において位置情報が存在した場合、その位置に記録されている映像の画像を取得する画像取得手段と、取得した画像を前記位置情報存在通知手段において同時に表示することを特徴とする請求項４に記載のＡＶデータ記録装置。
【請求項６】
前記位置情報ファイル読み込み手段において位置情報が存在した場合、その位置までの先頭からの再生時間を取得する時間情報取得手段と、取得した時間情報を前記位置情報存在通知手段において同時に表示することを特徴とする請求項４又は請求項５に記載のＡＶデータ記録装置。
【請求項７】
前記位置情報ファイル読み込み手段において位置情報が存在した場合、その位置に記録されている映像の画像を取得する画像取得手段と、その位置までの先頭からの再生時間を取得する時間情報取得手段と、取得した画像及び時間情報を前記位置情報存在通知手段において同時に表示し、かつユーザの設定に応じてその位置から前後の位置に変更する位置情報変更手段と、その変更に伴い画像及び時間情報の表示を更新することを特徴とする請求項４に記載のＡＶデータ記録装置。
【請求項８】
ＡＶデータファイルの読み込み開始位置の情報を有する位置情報ファイルを読み込んで位置情報を取得する第１ステップと、ＡＶデータファイルの読み込み開始位置をその位置情報に基づいた位置に設定する第２ステップと、読み込んだＡＶデータを所定のフォーマットに変換する第３ステップと、変換後のデータを所定のディスクに記録する第４ステップと、第４ステップにおいてディスクに最後まで記録できなかった場合に、前記ＡＶデータのどの位置まで変換記録できたかを示す位置情報を算出する第５ステップと、その算出した位置情報を前記位置情報ファイルに書き込む第６ステップと、前記第４ステップにおいて、ディスクに最後記録した場合に、位置情報ファイルの位置情報を初期化する第７のステップを含むことを特徴とするＡＶデータ記録方法。
【請求項９】
前記第６ステップにおいて位置情報ファイルの書き込みが行われた場合、自動的に別のディスクに交換する第８のステップを含み、ディスクの交換後に更新された位置情報ファイルに基づいて第１のステップから処理を行うことを特徴とする請求項８に記載のＡＶデータ記録方法。
【請求項１０】
前記第６ステップにおいて位置情報ファイルの書き込みが行われた場合、書き込んだディスクの不要部分の削除を行う第９ステップを含み、ディスクの部分削除によってディスクの空き容量が確保された場合に、更新された位置情報ファイルに基づいて第１のステップから処理を行うことを特徴とする請求項８又は９に記載のＡＶデータ記録方法。
【請求項１１】
前記第１ステップにおいて有効な位置情報が存在した場合、ユーザに位置情報の存在を通知し、その位置から取り込みを開始するかどうかを問い合わせる第１０ステップを含み、第１０ステップにおいてユーザの選択に応じて取り込み開始位置を更新することを特徴とする請求項８から１０に記載のＡＶデータ記録方法。
【請求項１２】
前記第１ステップにおいて位置情報が存在した場合、その位置に記録されている映像の画像を取得する第１１ステップを含み、取得した画像を前記第１０ステップにおいて同時に表示することを特徴とする請求項１１に記載のＡＶデータ記録方法。
【請求項１３】
前記第１ステップにおいて位置情報が存在した場合、その位置までの先頭からの再生時間を取得する第１２ステップを含み、取得した時間情報を前記第１０ステップにおいて同時に表示することを特徴とする請求項１１又は請求項１２に記載のＡＶデータ記録方法。
【請求項１４】
前記第１ステップにおいて位置情報が存在した場合、その位置に記録されている映像の画像を取得する第１１ステップと、その位置まで先頭からの再生時間を取得する第１２ステップと、取得した画像及び時間情報を前記第１０ステップにおいて同時に表示し、かつユーザの設定に応じてその位置から前後の位置に変更する第１３ステップを含み、その変更に伴い画像及び時間情報の表示を更新することを特徴とする請求項１１に記載のＡＶデータ記録方法。
【請求項１５】
ＡＶデータファイルの読み込み開始位置の情報を有する位置情報ファイルを読み込んで位置情報を取得する第１ステップと、前記ＡＶデータファイルの読み込み開始位置をその位置情報に基づいた位置に設定する第２ステップと、読み込んだＡＶデータを所定のフォーマットに変換する第３ステップと、変換後のデータを所定のディスクに記録する第４ステップと、第４ステップにおいてディスクに最後まで記録できなかった場合に、前記ＡＶデータのどの位置まで変換記録できたかを示す位置情報を算出する第５ステップと、その算出した位置情報を前記位置情報ファイルに書き込む第６ステップと、前記第４ステップにおいて、ディスクに最後記録した場合に、前記位置情報ファイルの位置情報を初期化する第７のステップを含むＡＶデータ記録方法の前記各ステップをコンピュータに実行させるプログラムを記録したコンピュータ読み取り可能な記録媒体。
【請求項１６】
ＡＶデータファイルの読み込み開始位置の情報を有する位置情報ファイルを読み込んで位置情報を取得する第１ステップと、前記ＡＶデータファイルの読み込み開始位置をその位置情報に基づいた位置に設定する第２ステップと、読み込んだＡＶデータを所定のフォーマットに変換する第３ステップと、変換後のデータを所定のディスクに記録する第４ステップと、第４ステップにおいてディスクに最後まできろくできなかった場合に、前記ＡＶデータのどの位置まで変換記録できたかを示す位置情報を算出する第５ステップと、その算出した位置情報を前記位置情報ファイルに書き込む第６ステップと、前記第４ステップにおいて、ディスクに最後記録した場合に、前記位置情報ファイルの位置情報を初期化する第７のステップを含むＡＶデータ記録方法の前記各ステップをコンピュータに実行させるＡＶデータ記録プログラム。
【発明の詳細な説明】
【技術分野】
【０００１】
本発明は、ＭＰＥＧなどで圧縮されたＡＶデータをＤＶＤ−ＲＡＭなどの光ディスクに記録する際に、ＡＶデータの途中からでも書き込みが可能なＡＶデータ記録装置及び方法に関するものである。
【背景技術】
【０００２】
ＤＶＤ−ＲＡＭなどの光ディスク装置においては、ＡＶデータを記録するための規格であるＤＶＤ−Ｖｉｄｅｏ  Ｒｅｃｏｒｄｉｎｇ規格（以下ＶＲ規格という）に従ったストリームに変換されたＡＶデータとして記録される。この光ディスクの記録可能容量は約４．７Ｇバイトであり、フォーマットの関係上、実際にＡＶデータが記録可能な容量はそれよりも小さく、約４．３Ｇバイト程度である。
【０００３】
一方、ＰＣ上で動画キャプチャソフトなどを使用してハードディスク上にＭＰＥＧなどのＡＶデータを記録するユーザが増えてきたが、近年のハードディスク容量の増大に伴い５Ｇバイトあるいはそれ以上といった非常に大きなサイズのＡＶデータを有することが可能となっている。
【０００４】
こういったハードディスク上のＭＰＥＧなどのＡＶデータをＤＶＤ−ＲＡＭなどの光ディスクに記録することも可能ではあるが、ディスクの容量が限られているため、先頭から４．３Ｇバイト程度のところまでしかディスクには記録できない。書き込みきれなかった後半部のＡＶデータを別のディスクに記録するためには、あらかじめディスクに収まるようにＡＶデータの分割位置を探して管理しておく等の必要がある。また、ＶＲ規格に従ったストリームに変換されたＡＶデータ（以後、ＶＲ形式のデータという）は、ＭＰＥＧの規格に従ったストリームのひとつではあるが、ＧＯＰの構成やシステムヘッダなどの各種フラグの値などが、定義されており、必ずしも汎用的なＭＰＥＧとは同一でない。そのためＭＰＥＧなどのＡＶデータをＶＲ形式のＡＶデータに変換した場合、必ずしも変換後のサイズは元のファイルのサイズと同じにはならない。
【０００５】
図１３は、ＭＰＥＧなどで圧縮されたＡＶデータをＤＶＤ−ＲＡＭなどの光ディスクに記録する際に、ＡＶデータの途中からでも書き込みが可能な従来のＡＶデータ記録装置の一例を示したブロック図である。図１３  において、ＡＶデータ記録装置では、ＶＲ形式のデータに変換する前のＭＰＥＧ形式のＡＶデータファイル１０１を読み込んで、ＶＲ変換後のデータを光ディスク１０３に記録する。このＡＶデータ記録装置は、ＭＰＥＧファイル解析手段４１、分割位置設定手段４２、開始及びサイズ設定手段４３、ＶＲ変換手段１３、ディスク記録手段１４を備えている
ＭＰＥＧファイル解析手段４１では、読み込んだＭＰＥＧファイルのＧＯＰ構成などを解析しその位置とファイルの先頭からのバイト数などを示すＭＰＥＧファイル解析情報４０１を出力する。分割位置設定手段４２では、ＭＰＥＧファイル解析情報４０１を元にディスクの容量に応じて分割位置として適当と思われる分割位置情報４０２を出力する。開始及びサイズ設定手段４２では、分割位置情報４０２を元にＭＰＥＧファイル１０１の読み込み開始位置及び読み込みサイズを決定して開始位置及びサイズ情報４０３を出力する。ＶＲ変換手段１３では、読み込んだＭＰＥＧデータをＶＲ形式のデータに変換してＶＲ変換データ１０６を出力する。ディスク記録手段１４では、前記ＶＲ変換データ１０６を光ディスク１０３に記録する。
【０００６】
以上のように構成されたＡＶデータ記録装置の動作について説明する。ＡＶデータ記録装置では、ＭＰＥＧファイル１０１を読み込むと、ＭＰＥＧファイル解析手段４１においてＭＰＥＧファイルＧＯＰ構成などを解析してその位置とファイルの先頭からのバイト数などを示すＭＰＥＧファイル解析情報４０１を出力する。ＭＰＥＧファイル解析情報４０１に基づいて分割位置設定手段４２において記録しようとするディスクの容量に応じて適当と思われる分割位置情報４０２を出力する。分割位置情報４０２に基づいて開始及びサイズ設定手段ではＭＰＥＧファイルの読み込み方法を示す開始位置及びサイズ情報４０３を出力する。開始位置及びサイズ情報４０３に基づいてＶＲ変換手段１３では指定された区間のＶＲ変換を行いＶＲ変換データ１０６を出力する。このＶＲ変換データ１０６をディスク記録手段１４において光ディスク１０３に記録する。
【０００７】
図１４は、従来のＡＶデータ記録装置の上記動作の概要を示したブロック図である。図１４では、元のＭＰＥＧファイルを３枚のディスクに分けて記録する例を示している。あらかじめＭＰＥＧファイル解析手段４１及び分割位置設定手段４２においてもとのＭＰＥＧファイルの読み込み開始位置とその読み込みサイズを決定し、開始及びサイズ設定手段４３においてそれぞれ指定された区間でＭＰＥＧファイルの読み込みを行い、ＶＲ変換手段１３及びディスク記録手段１４においてＶＲデータへの変換を行い、それぞれ別々のディスクへ記録を行う。
【０００８】
しかしながら従来のＡＶデータ記録装置では、あらかじめ決めた分割位置に基づいてディスクに記録していくため、ＡＶデータによっては、変換後のデータサイズが大きくなってディスクに全てを記録できない、もしくは変換後のデータサイズが小さくなってディスクの容量を十分に使いきれないといった課題を有していた。これに関する先行技術として以下のものがある（例えば特許文献１参照。）。
【特許文献１】特開２００３−６１０３９号公報
【発明の開示】
【発明が解決しようとする課題】
【０００９】
解決しようとする問題点は、ディスクに収まるようにあらかじめ推測して分割位置を調べる必要がある点と、ディスクの容量を過不足なく使い切ることができない点である。
【課題を解決するための手段】
【００１０】
本発明は、ディスクへの書き込みにおいてディスク容量が足りずに書き込めなかった場合、どこまでディスクに書き込めたかを示す位置情報を解析する手段と、その位置情報を別途作成する手段と、次回のディスクの書き込み時にはこの位置情報を元に読み込みを開始することを最も主要な特徴とする。
【発明の効果】
【００１１】
本発明のＡＶデータ記録装置及び方法は、サイズが大きなＡＶデータを複数のディスクに分割して記録する場合に、自動で分割位置を算出し、かつディスクの容量を過不足なく使って記録ができるという利点がある。
【発明を実施するための最良の形態】
【００１２】
以下、本発明の実施形態について添付の図面を参照して説明する。なお、各図面において同一の符号は同一の構成要素又は同様の作用、動作をなすものを表す。
【００１３】
（実施の形態１）
図１は、本発明装置の実施の形態１のＡＶデータ記録装置及び方法の構成を示すブロック図である。図１において、このＡＶデータ記録装置によって、ＶＲ形式のデータファイルに変換する前のＭＰＥＧ形式のＡＶデータファイル１０１と、ＭＰＥＧ形式のＡＶデータファイル１０１に対応する位置情報ファイル１０２とを読み込み、ストリームをＶＲ形式のデータに変換した後光ディスク１０３に記録する。このＡＶデータ記録装置は位置情報ファイル読み込み手段１１、開始位置設定手段１２、ＶＲ変換手段１３、ディスク記録手段１４、中断位置算出手段１５、位置情報ファイル書き込み手段１６、及び、位置情報ファイル初期化手段１７を備える。
【００１４】
ここで、ＭＰＥＧ形式のＡＶデータファイル１０１はビデオキャプチャカードなどの機器を使って取得するが、このＡＶデータファイル１０１を作成する装置の具体的な例について、図２を用いて説明する。図２（ａ）は、ＡＶデータファイル１０１を作成する装置２０の構成を示すブロック図である。このＡＶデータファイル１０１を作成する装置２０は、ＣＰＵ２１、メモリ２２、ＨＤＤ２３、及びビデオキャプチャ手段２４を備えている。また、図２（ａ）の装置にＤＶＤ−ＲＡＭドライブ２５を備えることで、ＤＶＤ−ＲＡＭなどの光ディスクに記録可能な本発明装置の具体的な一例を示すことにもなる。ビデオキャプチャ手段２４の構成について図２（ｂ）を用いて説明する。ビデオキャプチャ手段２４は、Ａ／Ｄ変換部２５、エンコード部２６を備える。ビデオキャプチャ手段２４に映像が入力されると、Ａ／Ｄ変換部２５でデジタル変換され、エンコード部２６でＭＰＥＧエンコードされてＭＰＥＧファイル１０１が生成される。
【００１５】
次に、位置情報ファイル１０２の一例として図３を用いて説明する。図３に示すように、例えば位置情報ファイルは対応するＭＰＥＧファイルに関する情報を有するＭＰＥＧファイル情報と位置に関する情報を有するＭＰＥＧ位置情報で構成される。ＭＰＥＧファイル情報として例えば、対応するＭＰＥＧのファイル名を設定する。ＭＰＥＧ位置情報として例えば、先頭からのファイルオフセットのバイト数などを設定する。
【００１６】
なお、対応するＭＰＥＧファイルをより正確に把握するために、ＭＰＥＧファイル情報としてはＭＰＥＧのファイル名だけでなく、ＭＰＥＧのファイルサイズやＭＰＥＧファイルの作成日時などを含んでもよい。
【００１７】
なお、より詳しく位置情報を把握するために、ＭＰＥＧ位置情報としては先頭からのファイルオフセットのバイト数だけでなく、時間情報としてのフレーム値などを含んでもよい。
【００１８】
なお、対応するＭＰＥＧファイルの属性などを把握して認証の精度をより上げるために、位置情報ファイル１０２としてストリームの属性に関するストリーム属性情報などを含んでもよい。ストリーム属性としては例えば、ビデオの解像度やオーディオのビットレートなどの情報を用いる。
【００１９】
次にＡＶデータ記録装置の各構成部材について説明する。まず、位置情報ファイル読み込み手段１１では、ＭＰＥＧ形式のＡＶデータファイル１０１に対応する位置情報ファイル１０２を読み込み、開始位置情報１０４を得る。開始位置設定手段１２では、この読み込んだ位置情報１０４に基づいてＭＰＥＧ形式のＡＶデータファイル１０１の読み込み開始位置を設定する。ＶＲ変換手段１３では読み込んだＭＰＥＧ形式のＡＶデータファイル１０１をＶＲ形式のＡＶデータであるＶＲ変換データ１０６を出力する。ディスク記録手段１４はこのＶＲ変換データ１０６を光ディスク１０３に記録する。このときディスクに最後まで記録できなかった場合には、中断位置算出手段１５において、元のＡＶデータファイル１０１のどの位置まで変換及び記録したかを示すディスク記録情報１０７を元に、ＭＰＥＧのＧＯＰ構成などを考慮した上で読み込みが中断された位置を示す中断位置情報１０８を算出する。位置情報ファイル書き込み手段１６は中断位置情報１０８に基づいて位置情報ファイル１０２で記録されている値を更新する。一方ディスク記録手段１４においてＭＰＥＧ形式のＡＶデータファイル１０１を最後までＶＲ変換及びディスクに記録できた場合には、位置情報ファイル初期化手段１７において、位置情報ファイルの位置情報として先頭を示す値（例えば０）に更新してファイルを保存する。
【００２０】
一方、位置情報ファイル読み込み手段１１において位置情報ファイル１０１が存在しない場合は、位置情報ファイル１０１の読み込みは行わず開始位置情報１０４としては、先頭を示す値（例えば０）とする。また、位置情報ファイル書き込み手段１６において位置情報ファイルが存在しない場合は新規に位置情報ファイル１０２を作成した後、位置情報を記録するものとする。
【００２１】
なお、位置情報ファイルはＨＤＤ２３に記録されたファイルであってもかまわないし、メモリ２２に記録された情報であってもかまわない。
【００２２】
なお、位置情報ファイル初期化手段１７において位置情報ファイル１０２を消去してもかまわない。
【００２３】
なお、位置情報ファイル書き込み手段１６において、中断位置情報１０８の結果によっては、最後まで記録したと判断して、位置情報ファイルの初期化（ファイルの消去又は先頭を示す値の設定）を行うのでもかまわない。
【００２４】
さらに、本発明はコンピュータプログラムとして実行してもよい。この場合には、上記ＡＶデータ記録装置２０において、メモリ２２又はＨＤＤ２３に記録したＡＶデータ記録方法のプログラムを読み出して、ＣＰＵ２１上で実行すればよい。また、電気通信回線又は記録媒体を介してそのプログラムを配布し、コンピュータを用いて本発明を実施することもできる。
【００２５】
次に、本発明に係るＡＶデータ記録方法について、図４を用いて各ステップごとに分けて説明する。
（ａ）位置情報ファイル読み込み手段１１により、位置情報ファイルがあれば位置情報ファイルを読み込む（Ｓ１１）。
（ｂ）次いで、位置情報ファイル１１によって、読み込んだ位置情報ファイルから位置情報１０４が取得可能で、かつ位置情報として有効なものであるかどうかを判定する。有効な値が設定されていなければ開始位置は先頭からとする（Ｓ１２）。
（ｃ）開始位置設定手段１２によって、位置情報１０４に従ってＭＰＥＧファイル１０１の読み込み開始位置を設定する（Ｓ１３）。
（ｄ）次にＶＲ変換手段１３によって、読み込んだＭＰＥＧファイル１０１をＶＲ変換データ１０６へ変換する（Ｓ１４）。
（ｅ）ディスク記録手段１４によって、光ディスク１０３に記録する（Ｓ１５）。
（ｆ）次いで、ディスク記録手段１４によって、変換したＶＲ変換データ１０６が最後まで光ディスク１０３に記録できたかどうかを判定する（Ｓ１６）。
（ｇ）中断位置情報算出手段１５によって、書き込みが最後まで行われていない場合、元ＭＰＥＧファイル１０１のどこまでを記録できたかをＧＯＰ構成を考慮しながら算出する（Ｓ１７）。
（ｈ）位置情報ファイル書き込み手段１６によって、上記中断位置情報算出手段１５で取得した中断位置情報を元に、位置情報ファイル１０２が既にあればその値を更新し、位置情報ファイル１０２がなければ、新たに作成してその値を設定する（Ｓ１８）。
（ｉ）次いでユーザに続けて別のディスクに記録するかどうかを問い合わせる（Ｓ２０）。続けて記録しない場合は処理を終了する。
（ｊ）ユーザが別のディスクに続けて記録することを選んだ場合は、ディスクの交換を行い、処理を最初にステップ（Ｓ１１）に戻す（Ｓ２１）。
（ｋ）一方、Ｓ１６にて最後まで記録した場合には、位置情報ファイル初期化手段１７によって、位置情報ファイル１０２の削除、もしくは位置情報を先頭を示す値（例えば０）に更新して処理を終了する（１９）。
【００２６】
以上の各ステップによって、ＭＰＥＧファイル１０１をＶＲ形式のデータに変換して光ディスク１０３に記録できる。上述のＡＶデータ記録方法は、コンピュータプログラムとしても実行できる。
【００２７】
さらに、本実施の形態１のＡＶデータ記録装置及び方法の動作を図４の各ステップを参照しながら動作の説明を行う。
【００２８】
位置情報ファイル読み込み手段１１により、ＭＰＥＧ形式のＡＶデータファイル１０１に対応する位置情報ファイル１０２が読み込まれる（Ｓ１１）。
【００２９】
次いで、位置情報ファイル読み込み手段１１によって、位置情報ファイル１０２が存在してかつ取得した位置情報１０４が有効なものであるかどうかを判定する（Ｓ１２）
位置情報１０４が有効なものであれば、開始位置設定手段１２によって、ＭＰＥＧファイル１０１の読み込み開始位置が設定される（Ｓ１３）。一方位置情報１０４がないか値が先頭を示す値（例えば０）であれば、開始位置は変更せず先頭から行うものとする。
【００３０】
ＶＲ変換手段１３によって、読み込んだＭＰＥＧファイル１０１をＶＲ規格のデータに変換し、ＶＲ変換データ１０６が出力される（Ｓ１４）。
【００３１】
ディスク記録手段１４によって、ＶＲ変換データ１０６が光ディスク１０３に記録される（Ｓ１５）。
【００３２】
次いで、ディスク記録手段１４によって、ＶＲ変換データ１０６が最後まで光ディスク１０３に記録できたかどうかを判定する（Ｓ１６）。
【００３３】
最後まで記録できなかった場合には、中断位置情報算出手段１５によって、元ＭＰＥＧファイル１０１のどこまでを記録できたかをＧＯＰ構成を考慮しながら算出して、中断位置情報１０８を出力する（Ｓ１７）
位置情報ファイル書き込み手段１６によって、上記中断位置情報算出手段１５で取得した中断位置情報１０８を元に、位置情報ファイル１０２が既にあればその値を更新し、位置情報ファイル１０２がなければ、新たに作成してその値を設定する（Ｓ１８）。
【００３４】
次いで、ユーザに続けて別のディスクに記録をするかどうかを問い合わせ（Ｓ２０）、続けて記録することを選択した場合には、新たなディスクに交換（Ｓ２１）した後、ステップを（Ｓ１１）へ戻す。
【００３５】
一方、Ｓ１６にて最後まで記録した場合には、位置情報ファイル初期化手段１７によって、位置情報ファイル１０２の削除、もしくは位置情報を先頭を示す値（例えば０）に更新して（Ｓ１９）、処理を終了する。
【００３６】
さらに、図５は、本発明装置の実施の形態１のＡＶデータ記録装置の上記動作の概要を示したブロック図である。図５では、元のＭＰＥＧファイルを３枚のディスクに分けて記録する例を示している。まず始めは位置情報ファイルが存在しないため、ＭＰＥＧファイル１０１は、開始位置設定手段１２によって、先頭からの読み込みが設定される（１２Ａ）。ＶＲ変換手段１３とディスク記録手段１４によって、ＶＲデータへの変換及び光ディスク＃１への書き込みが行われ、ディスクの容量がなくなると、そこで記録を中止し、どこまで記録できたかを示す位置情報（Ｂ）を算出して、位置情報ファイル書き込み手段１６によって、位置情報ファイル１０２を作成する。続いて、この位置情報ファイル１０２を読み込んで、開始位置設定手段１２によって、開始位置Ｂが設定される（１２Ｂ）。以下同様にディスクの容量がなくなるまでＶＲデータへの変換と光ディスク＃２への書き込みが行われ、容量がなくなると、その位置情報（Ｃ）を算出して、位置情報ファイル書き込み手段１６によって、位置情報ファイルが更新される。以降同様に開始位置Ｃを設定してディスク＃３への記録を行う。
【００３７】
以上のように実施の形態１によれば、あらかじめＭＰＥＧファイルを解析して読み込む位置やサイズを設定する必要がなく、かつ光ディスクの容量を無駄なく使用することが可能である。
【００３８】
（実施の形態２）
図６は、本発明装置の実施の形態２のＡＶデータ記録装置及び方法の構成を示すブロック図である。図６において、１０３＃１と１０３＃２と１０３＃３はそれぞれ異なる光ディスクであり、６１は光ディスクドライブの光ディスクを自動もしくはユーザの手によって光ディスクを交換するディスク交換手段であり、６０１は位置情報ファイル１０２が更新されてＭＰＥＧファイル１０１が全て変換記録されていないことを示す位置情報ファイル更新情報である。それ以外の符号で図１と同じ符号を有するものは同じ機能を有するので詳細な説明は省略する。
【００３９】
次に、以上のように構成された実施の形態２のＡＶデータ記録装置及び方法の動作を図６を用いて説明する。位置情報ファイル書き込み手段１６までの処理は実施の形態１に記載の位置情報ファイル書き込み手段１６までの処理と同じ手順であるので詳細な説明は省略する。位置情報ファイル書き込み手段１６によって、位置情報ファイル１０２が更新されたことを示す位置情報ファイル更新情報６０１が通知され、ディスク交換手段６１によって、光ディスクドライブ上の光ディスクを別のディスクに変更する。例えば光ディスク１０３＃１から光ディスク１０３＃２へ変更した後、次の処理として位置情報ファイル読み込み手段１１から同様の処理を行い、ＭＰＥＧファイル１０１をＶＲデータへ変換したＶＲ変換データ１０６を全て光ディスクに書き込むまで処理を続ける。
【００４０】
以上のように実施の形態２によれば、一枚では収まりきれないようなサイズの大きなＭＰＥＧファイルを、連続して別々の光ディスクにＶＲ変換データとして記録することが可能である。
【００４１】
（実施の形態３）
図７は、本発明装置の実施の形態３のＡＶデータ記録装置及び方法の構成を示すブロック図である。図７において、６２は光ディスクに記録されたＶＲデータの一部を必要に応じて部分削除するディスクデータ部分削除手段であり、１０３Ａはディスクデータ部分削除手段６２によってもとの光ディスク１０３から不要部分を削除した後の光ディスクであり、６０１は位置情報ファイル１０２が更新されてＭＰＥＧファイル１０１が全て変換記録されていないことを示す位置情報ファイル更新情報である。それ以外の符号で図１と同じ符号を有するものは同じ機能を有するので詳細な説明は省略する。
【００４２】
次に、以上のように構成された実施の形態３のＡＶデータ記録装置及び方法の動作を図７を用いて説明する。位置情報ファイル書き込み手段１６までの処理は実施の形態１に記載の位置情報ファイル書き込み手段１６までの処理と同じ手順であるので詳細な説明は省略する。位置情報ファイル書き込み手段１６によって、位置情報ファイル１０２が更新されたことを示す位置情報ファイル更新情報６０１が通知され、ディスクデータ部分削除手段６２によって、既にディスク容量いっぱいまで記録された光ディスク１０３からユーザが不要と思われる部分を削除して、ディスクの空き容量がある程度確保された光ディスク１０３Ａができる。次いで、位置情報ファイル１１から同様の処理を行い、ＭＰＥＧファイル１０１をＶＲデータへ変換したＶＲ変換データ１０６の続きから光ディスク１０３Ａへの書き込みが行われる。
【００４３】
さらに、図８は、本発明装置の実施の形態３のＡＶデータ記録装置の上記動作の概要を示したブロック図である。図８では、光ディスク上のデータの不要部分を削除して、同一ディスクに連続してＭＰＥＧフィルを変換及び記録する例を示している。まず始めは位置情報ファイルが存在しないため、ＭＰＥＧファイル１０１は、開始位置設定手段１２によって、先頭からの読み込みが設定される（１２Ａ）。ＶＲ変換手段１３とディスク記録手段１４によって、ＶＲデータへの変換及び光ディスク＃１への書き込みが行われ、ディスクの容量がなくなると、そこで記録を中止し、どこまで記録できたかを示す位置情報（Ｂ）を算出して、位置情報ファイル書き込み手段１６によって、位置情報ファイル１０２を作成する。次いでディスクデータ部分削除手段６２によって、光ディスク＃１からユーザが不要な部分を削除して記録容量を確保した光ディスク＃１Ａを作成する。続いて、先に更新した位置情報ファイル１０２を読み込んで、前回途中で中断した位置からの続きのＶＲ変換データを光ディスク＃１Ａへの記録を行う。
【００４４】
以上のように実施の形態３によれば、一枚では収まりきれないようなサイズの大きなＭＰＥＧファイルを、連続して同じ光ディスクにＶＲ変換データとして記録することが可能である。
【００４５】
（実施の形態４）
図９は、本発明装置の実施の形態４のＡＶデータ記録装置及び方法の構成を示すブロック図である。図９において、９１Ａは位置情報ファイルから有効な位置情報が取得できた場合にユーザにその存在を通知し、その位置から開始するかどうかを問い合わせる位置情報存在通知手段であり、９１Ａ１はユーザに通知するときの画面の一例を示すものであり、９０１はユーザの指定により更新された位置情報を示す更新位置情報である。それ以外の符号で図１と同じ符号を有するものは同じ機能を有するので詳細な説明は省略する。
【００４６】
次に、以上のように構成された実施の形態４のＡＶデータ記録装置及び方法の動作を図９を用いて説明する。位置情報ファイル読み込み手段１１によって、位置情報ファイル１０２が存在すれば読み込み、取得した位置情報１０４が出力され、位置情報存在通知手段９１Ａによって、前記位置情報１０４が先頭を示す値（例えば０）でない場合にはユーザに通知し問い合わせる画面９１Ａ１を表示する。この画面９１Ａ１によりユーザがＹＥＳを選択した場合には、更新位置情報９０１として位置情報１０４と同じ値を出力するが、ユーザがＮＯを選択した場合には、更新位置情報９０１として先頭を示す値（例えば０）を出力する。開始位置設定手段１２以降の処理は、本発明装置の実施の形態１の開始位置設定手順１２以降の処理と同等である。
【００４７】
以上のように実施の形態４によれば、位置情報が存在する場合であっても、ユーザの判断でその位置もしくは先頭からの読み込みを指定することが可能である。
【００４８】
（実施の形態５）
図１０は、本発明装置の実施の形態５のＡＶデータ記録装置及び方法の構成を示すブロック図である。図１０において、９２はＭＰＥＧファイル１０１の任意の位置の画像を取得する画像取得手段であり、９０２は取得した画像情報及び位置情報１０４を包含した位置情報及び画像情報であり、９１Ｂは位置情報ファイルから有効な位置情報が取得できた場合にユーザにその存在を通知し、かつその位置の画像を表示し、その位置から開始するかどうかを問い合わせる位置情報存在通知手段であり、９１Ｂ１はユーザに通知するときの画面の一例を示すものであり、９０１はユーザの指定により更新された位置情報を示す更新位置情報である。それ以外の符号で図１と同じ符号を有するものは同じ機能を有するので詳細な説明は省略する。
【００４９】
次に、以上のように構成された実施の形態５のＡＶデータ記録装置及び方法の動作を図１０を用いて説明する。位置情報ファイル読み込み手段１１によって、位置情報ファイル１０２が存在すれば読み込み、取得した位置情報１０４が出力され、画像取得手段９２によって、ＭＰＥＧファイル１０１から位置情報１０４の位置にある画像情報を取得して、この画像情報と共に位置情報１０４を包含した位置情報及び画像情報９０２が出力され、位置情報存在通知手段９１Ｂによって、前記位置情報１０４が先頭を示す値（例えば０）でない場合にはユーザにその位置の画像と共に通知し問い合わせる画面９１Ｂ１を表示する。この画面９１Ｂ１によりユーザがＹＥＳを選択した場合には、更新位置情報９０１として位置情報１０４と同じ値を出力するが、ユーザがＮＯを選択した場合には、更新位置情報９０１として先頭を示す値（例えば０）を出力する。開始位置設定手段１２以降の処理は、本発明装置の実施の形態１の開始位置設定手順１２以降の処理と同等である。
【００５０】
以上のように実施の形態５によれば、位置情報が存在する場合、その位置を画像で確認することができ、かつユーザの判断でその位置もしくは先頭からの読み込みを指定することが可能である。
【００５１】
（実施の形態６）
図１１は、本発明装置の実施の形態６のＡＶデータ記録装置及び方法の構成を示すブロック図である。図１１において、９３はＭＰＥＧファイル１０１の任意の位置の先頭からの時間を取得する時間情報取得手段であり、９０３は取得した時間情報及び位置情報を包含した位置情報及び時間情報であり、９１Ｃは位置情報ファイルから有効な位置情報が取得できた場合にユーザにその存在を通知し、かつその位置の時間を表示し、その位置から開始するかどうかを問い合わせる位置情報存在通知手段であり、９１Ｃ１はユーザに通知するときの画面の一例を示すものであり、９０１はユーザの指定により更新された位置情報を示す更新位置情報である。それ以外の符号で図１と同じ符号を有するものは同じ機能を有するので詳細な説明は省略する。
【００５２】
次に、以上のように構成された実施の形態６のＡＶデータ記録装置及び方法の動作を図１１を用いて説明する。位置情報ファイル読み込み手段１１によって、位置情報ファイル１０２が存在すれば読み込み、取得した位置情報１０４が出力され、時間情報取得手段９３によって、ＭＰＥＧファイル１０１から位置情報１０４の位置の時間情報を取得して、この時間情報と共に位置情報１０４を包含した位置情報及び時間情報９０３が出力され、位置情報存在通知手段９１Ｃによって、前記位置情報１０４が先頭を示す値（例えば０）でない場合にはユーザにその位置の時間と共に通知し問い合わせる画面９１Ｃ１を表示する。この画面９１Ｃ１によりユーザがＹＥＳを選択した場合には、更新位置情報９０１として位置情報１０４と同じ値を出力するが、ユーザがＮＯを選択した場合には、更新位置情報９０１として先頭を示す値（例えば０）を出力する。開始位置設定手段１２以降の処理は、本発明装置の実施の形態１の開始位置設定手順１２以降の処理と同等である。
【００５３】
以上のように実施の形態６によれば、位置情報が存在する場合、その位置を時間で確認することができ、かつユーザの判断でその位置もしくは先頭からの読み込みを指定することが可能である。
【００５４】
（実施の形態７）
図１２は、本発明装置の実施の形態７のＡＶデータ記録装置及び方法の構成を示すブロック図である。図１２において、９１Ｄは位置情報ファイルから有効な位置情報が取得できた場合にユーザにその存在を通知し、かつその位置の画像及び時間を表示して、必要に応じてその前後の位置（ＧＯＰ単位）に移動して、その位置から開始するかどうかを問い合わせる位置情報存在通知手段であり、９１Ｄ１はユーザに通知するときの画面の一例を示すものである。９０４はユーザが現在の位置を基準にＧＯＰ単位で前あるいは後を選択したことを示す位置情報変更情報であり、９４は現在の位置を基準に前後の位置に移動する位置情報変更手段であり、９０５は新たに設定された変更位置情報である。それ以外の符号で図１０及び図１１と同じ符号を有するものは同じ機能を有するので詳細な説明は省略する。
【００５５】
次に、以上のように構成された実施の形態７のＡＶデータ記録装置及び方法の動作を図１２を用いて説明する。位置情報及び画像情報９０２が出力されるまでの手順は実施の形態５の手順と同様であり、位置情報及び時間情報９０３が出力されるまでの手順は実施の形態６の手順と同様であるので、詳細な説明は省略する。位置情報存在通知手段９１Ｄによって、位置情報１０４が先頭を示す値（例えば０）でない場合にはユーザにその位置の画像及び時間と共に通知し問い合わせる画面９１Ｄ１を表示する。画面９１Ｄ１においてユーザが現在の位置から前あるいは後ろを選択した場合には、位置情報変更情報９０４が通知され、位置情報変更手段９４によって現在の位置からＧＯＰ単位で前後の位置へ移動しその移動によって変更された変更位置情報９０５が出力される。画像取得手段９２及び時間情報取得手段９３ではこの新たに設定された変更位置情報９０５に伴う新たな画像及び時間情報を取得して画面９１Ｄ１の表示を更新する。この画面９１Ｄ１により最終的にユーザがＹＥＳを選択した場合には、更新位置情報９０１として変更位置情報９０５と同じ値を出力するが、ユーザがＮＯを選択した場合には、更新位置情報９０１として先頭を示す値（例えば０）を出力する。開始位置設定手段１２以降の処理は、本発明装置の実施の形態１の開始位置設定手順１２以降の処理と同等である。
【００５６】
以上のように実施の形態７よれば、位置情報が存在する場合、その位置を画像及び時間で確認しながらその前後の位置への補正をユーザが行うことができ、かつユーザの判断でその位置もしくは先頭からの読み込みを指定することが可能である。
【００５７】
なお、本発明はコンピュータプログラムとして実現してもよい。また、電気通信回線又は記録媒体等を介してそのプログラムを配布し、コンピュータを用いて本発明を実施することもできる。
【００５８】
上述の通り、本発明は好ましい実施形態により詳細に説明されるが、本発明はこれらに限定されるものではなく、特許請求の半家に記載された本発明の技術的範囲内において好ましい変形例及び修正例が可能であることは当業者にとって自明なことであろう。
【産業上の利用可能性】
【００５９】
本発明に係るＡＶデータ記録装置及び方法は、ディスクへの書き込みにおいてディスク容量が足りずに書き込めなかった場合、どこまでディスクに書き込めたかを示す位置情報を解析する手段と、その位置情報を別途作成する手段と、次回のディスクの書き込み時にはこの位置情報を元に読み込みを開始することによって、サイズが大きなＡＶデータを複数のディスクに分割して記録する場合に、自動で分割位置を算出し、かつディスクの容量を過不足なく使って記録が必要な用途にも適用できる。
【図面の簡単な説明】
【００６０】
【図１】本発明の実施の形態１に於けるＡＶデータ記録装置のブロック図
【図２】ＡＶデータファイルを作成する装置の一例を示すブロック図
【図３】位置情報ファイルの一例を示すブロック図
【図４】本発明の実施の形態１に於けるＡＶデータ記録装置の動作を表すフローチャート
【図５】本発明の実施の形態１に於けるＡＶデータ記録装置の動作の概要を表すブロック図
【図６】本発明の実施の形態２に於けるＡＶデータ記録装置の例を示すブロック図
【図７】本発明の実施の形態３に於けるＡＶデータ記録装置の例を示すブロック図
【図８】本発明の実施の形態３に於けるＡＶデータ記録装置の動作の概要を表すブロック図
【図９】本発明の実施の形態４に於けるＡＶデータ記録装置の例を示すブロック図
【図１０】本発明の実施の形態５に於けるＡＶデータ記録装置の例を示すブロック図
【図１１】本発明の実施の形態６に於けるＡＶデータ記録装置の例を示すブロック図
【図１２】本発明の実施の形態７に於けるＡＶデータ記録装置の例を示すブロック図
【図１３】従来のＡＶデータ記録装置のブロック図
【図１４】従来のＡＶデータ記録装置の動作の概要を表すブロック図
【符号の説明】
【００６１】
１１    位置情報ファイル読み込み手段
１２    開始位置設定手段
１３    ＶＲ変換手段
１４    ディスク記録手段
１５    中断位置算出手段
１６    位置情報ファイル書き込み手段
１７    位置情報ファイル初期化手段
２０    ＡＶデータ記録装置
２１    ＣＰＵ
２２    メモリ
２３    ＨＤＤ
２４    ビデオキャプチャ手段
２５    ＤＶＤ−ＲＡＭドライブ
２６    Ａ／Ｄ変換部
２７    エンコード部
１２Ａ    先頭から読み込み
１２Ｂ    開始位置Ｂから読み込み
１３Ｂ    開始位置Ｃから読み込み
６１    ディスク交換手段
６２    ディスクデータ部分削除手段
９１Ａ    位置情報存在通知手段
９１Ａ１    ユーザへの通知メッセージ例（問い合わせ）
９２    画像取得手段
９１Ｂ    位置情報存在通知手段
９１Ｂ１    ユーザへの通知メッセージ例（画像付き）
９３    時間情報取得手段
９１Ｃ    位置情報存在通知手段
９１Ｃ１    ユーザへの通知メッセージ例（時間表示付き）
９１Ｄ    位置情報存在通知手段
９１Ｄ１    ユーザへの通知メッセージ例（画像及び時間表示付きかつ位置変更可能）
９４    位置情報変更手段
４１    ＭＰＥＧファイル解析手段
４２    分割位置設定手段
４３    開始及びサイズ設定手段
１０１    ＭＰＥＧファイル
１０２    位置情報ファイル
１０３    光ディスク
１０４    位置情報
１０５    開始位置情報
１０６    ＶＲ変換データ
１０７    ディスク記録情報
１０８    中断位置情報
１０９    ディスク記録完了情報
６０１    位置情報ファイル更新情報
９０１    更新位置情報
９０２    位置情報及び画像情報
９０３    位置情報及び時間情報
９０４    位置情報変更情報
９０５    変更位置情報
４０１    ＭＰＥＧファイル解析情報
４０２    分割位置情報
４０３    開始位置及びサイズ情報
【図１】
2005141830.tif 000003
【図２】
2005141830.tif 000004
【図３】
2005141830.tif 000005
【図４】
2005141830.tif 000006
【図５】
2005141830.tif 000007
【図６】
2005141830.tif 000008
【図７】
2005141830.tif 000009
【図８】
2005141830.tif 000010
【図９】
2005141830.tif 000011
【図１０】
2005141830.tif 000012
【図１１】
2005141830.tif 000013
【図１２】
2005141830.tif 000014
【図１３】
2005141830.tif 000015
【図１４】
2005141830.tif 000016